(57)【特許請求の範囲】
【請求項１】
描画像と外部装置から供給される画像を表示面に表示する表示部と、
前記表示面に対する指示体の位置を検出する位置検出部と、
前記位置検出部が特定した位置に応じて描画像を生成し、当該描画像を前記表示部へ供給する描画部と、
前記描画像の表示中に前記位置検出部により前記指示体の位置が予め定められた第１時間以上検出されない場合、前記描画像を消去する描画像制御部と
を備え、
前記描画像制御部は、前記描画像を消去してから予め定められた第２時間内に前記位置検出部が前記指示体の位置を検出した場合、消去した描画像を復元する表示装置。
【請求項２】
前記描画像制御部は、前記描画像の表示中に前記位置検出部により前記指示体の位置が予め定められた第１時間以上検出されない場合、前記消去を行う設定がされている場合には前記描画像を消去し、前記消去を行う設定がされていない場合には前記描画像を消去しない
請求項１に記載の表示装置。
【請求項３】
前記描画像制御部は、前記描画像を消去してから予め定められた第２時間内に前記位置検出部が前記指示体の位置を検出した場合、消去した画像を復元する設定がされている場合には消去した前記描画像を復元し、消去した画像を復元する設定がされていない場合には消去した前記描画像を復元しない
請求項１に記載の表示装置。
【請求項４】
前記描画像制御部は、前記描画像が描画された時点からの時間の経過に応じて前記描画像の濃度を薄くする
請求項１に記載の表示装置。
【請求項５】
前記描画像制御部は、前記描画像から前記指示体までの距離に応じて前記描画像を消去する
請求項１に記載の表示装置。
【請求項６】
前記距離は、前記表示面の座標における距離である請求項５に記載の表示装置。
【請求項７】
前記距離は、前記表示面の垂線方向の距離である請求項５に記載の表示装置。
【請求項８】
描画像と外部装置から供給される画像を表示面に表示する表示部と、
前記表示面に対する指示体の位置を検出する位置検出部と、
前記位置検出部が特定した位置に応じて描画像を生成し、当該描画像を前記表示部へ供給する描画部と、
前記描画像の表示中に前記位置検出部により前記指示体の位置が予め定められた第１時間以上検出されない場合、前記描画像を消去する描画像制御部と、
を備え、
描画像制御部はさらに、前記指示体と前記表示面を結ぶ前記表示面に垂直な仮想線と前記表示面との交点を特定し、前記交点と前記描画像の距離に応じて前記描画像を消去する表示装置。
【請求項９】
描画像と外部装置から供給される画像を表示面に表示する表示部を備える表示装置の制御方法であって、
前記表示面に対する指示体の位置を検出する位置検出ステップと、
前記位置検出ステップで特定した位置に応じて描画像を生成し、当該描画像を前記表示部へ供給する描画ステップと、
前記描画像の表示中に前記位置検出ステップにより前記指示体の位置が予め定められた第１時間以上検出されない場合、前記描画像を消去する描画像制御ステップと
を備え、
前記描画像制御ステップは、前記描画像を消去してから予め定められた第２時間内に前記指示体の位置を検出した場合、消去した描画像を復元する
表示装置の制御方法。
【発明の詳細な説明】
【技術分野】
【０００１】
本発明は、表示装置及び表示装置の制御方法に関する。
【背景技術】
【０００２】
指示体をポインティングデバイスとして利用する発明として、例えば特許文献１に開示されたプロジェクターがある。このプロジェクターは、撮像素子を備えており、指示体を撮像素子で撮影する。そしてプロジェクターは、撮影で得られた映像から投写領域における指示体の座標を特定し、特定した座標に基づいて描画の処理を行う。
【先行技術文献】
【特許文献】
【０００３】
【特許文献１】特開２０１３−２４７４８６号公報
【発明の概要】
【発明が解決しようとする課題】
【０００４】
特許文献１のプロジェクターの場合、ＰＣ（Personal Computer）の画像を投写しているときに指示体による描画を行うと、指示体の移動に応じて描画される線は、プロジェクターが生成して投写したものである。ここで、ＰＣが操作されて投写する映像が変わった場合、変化前の画像に対して描画した線が残り、指示体を用いて行われた描画は、変化後の映像に対して意味をなさない描画となってしまう。
【０００５】
本発明は、表示された画像に対して指示体により描画が行われた場合、表示されている画像に対応していない描画を消去し得る技術を提供する。
【課題を解決するための手段】
【０００６】
本発明は、描画像と外部装置から供給される画像を表示面に表示する表示部と、前記表示面に対する指示体の位置を検出する位置検出部と、前記位置検出部が特定した位置に応じて描画像を生成し、当該描画像を前記表示部へ供給する描画部と、前記描画像の表示中に前記位置検出部により前記指示体の位置が予め定められた第１時間以上検出されない場合、前記描画像を消去する描画像制御部とを備える表示装置を提供する。
本発明によれば、表示された画像に対して指示体により描画が行われた後、指示体による描画を行わずに投写する映像が変わった場合、表示されている画像に対応していない描画を消去することができる。
【０００７】
本発明においては、前記描画像制御部は、前記描画像の表示中に前記位置検出部により前記指示体の位置が予め定められた第１時間以上検出されない場合、前記消去を行う設定がされている場合には前記描画像を消去し、前記消去を行う設定がされていない場合には前記描画像を消去しない構成としてもよい。
この構成によれば、ユーザーの設定に応じて、描画像を消去しないようにすることができる。
【０００８】
また、本発明においては、前記描画像制御部は、前記描画像を消去してから予め定められた第２時間内に前記位置検出部が前記指示体の位置を検出した場合、消去した描画像を復元する構成としてもよい。
この構成によれば、消去した描画像を指示体の操作に応じて復元することができる。
【０００９】
また、本発明においては、前記描画像制御部は、前記描画像を消去してから予め定められた第２時間内に前記位置検出部が前記指示体の位置を検出した場合、消去した画像を復元する設定がされている場合には消去した前記描画像を復元し、消去した画像を復元する設定がされていない場合には消去した前記描画像を復元しない構成としてもよい。
この構成によれば、ユーザーの設定に応じて、描画像を復元しないようにすることができる。
【００１０】
また、本発明においては、前記描画像制御部は、前記描画像が描画された時点からの時間の経過に応じて前記描画像の濃度を薄くする構成としてもよい。
この構成によれば、描画された順番で描画像を消去していくことができる。
【００１１】
また、本発明においては、前記描画像制御部は、前記描画像から前記指示体までの距離に応じて前記描画像を消去する構成としてもよい。
この構成によれば、指示体と描画像の距離が離れたときに描画像を消去することができる。
【００１２】
また、本発明においては、前記距離は、前記表示面の座標における距離である構成としてもよい。
この構成によれば、表示面の座標上での指示体と描画像との距離が離れたときに描画像を消去することができる。
【００１３】
また、本発明においては、前記距離は、前記表示面の垂線方向の距離である構成としてもよい。
この構成によれば、指示体から表示面までの距離が離れたときに描画像を消去することができる。
【００１４】
また、本発明は、描画像と外部装置から供給される画像を表示面に表示する表示部を備える表示装置の制御方法であって、前記表示面に対する指示体の位置を検出する位置検出ステップと、前記位置検出ステップで特定した位置に応じて描画像を生成し、当該描画像を前記表示部へ供給する描画ステップと、前記描画像の表示中に前記位置検出ステップにより前記指示体の位置が予め定められた第１時間以上検出されない場合、前記描画像を消去する描画像制御ステップとを備える表示装置の制御方法を提供する。
本発明によれば、表示された画像に対して指示体により描画が行われた後、指示体による描画を行わずに投写する映像が変わった場合、表示されている画像に対応していない描画を消去することができる。
【図面の簡単な説明】
【００１５】
【図１】表示システム１を構成する装置を示した図。
【図２】プロジェクター１０と指示体２０のハードウェア構成を示した図。
【図３】制御部１１０と制御部２１０の機能ブロック図。
【図４】指示体を検出するタイムチャートの一例を示した図。
【図５】制御部１１０が行う処理の流れを示したフローチャート。
【図６】制御部１１０が行う処理の流れを示したフローチャート。
【発明を実施するための形態】
【００１６】
［実施形態］
（実施形態の構成）
図１は、本発明の一実施形態に係る表示システム１を構成する装置を示した図である。表示システム１は、画像の表示面となるスクリーンＳＣに画像を投写するプロジェクター１０、指示体２０及び発光装置３０を備える。
【００１７】
表示装置の一例であるプロジェクター１０は、外部装置の一例であるＰＣ４０に接続され、ＰＣ４０から供給された映像信号が表す画像をスクリーンＳＣへ投写する。また、プロジェクター１０は、指示体２０や指が指示した位置に画像を描画する描画機能を備えている。
【００１８】
本実施形態に係るプロジェクター１０は、スクリーンＳＣの斜め上方に設置され、スクリーンＳＣに向けて画像を投写する。本実施形態においては、プロジェクター１０は、スクリーンＳＣへ画像を投写するが、スクリーンＳＣの替わりに壁面（表示面）に画像を投写してもよい。また、本実施形態においては、プロジェクター１０は、金具によって壁面に設置される構成となっているが、天井や机上に設置してもよい。天井に設置する場合は、机上に画像を投写してもよい。
【００１９】
ペン型の指示体２０は、プロジェクター１０を使用するときのポインティングデバイスとして機能し、プロジェクター１０が投写するＰＣのＧＵＩ（Graphical User Interface）をユーザーが操作するときや、描画機能によりユーザーが描画を行うときなどに使用される。
【００２０】
発光装置３０は、スクリーンＳＣ上にある指に光（本実施形態では赤外光）を照射する発光部を有する。発光装置３０はスクリーンＳＣの上端より上に設置され、下向きに角度θの範囲に光を拡散させて出射する。発光装置３０から出射された光は、スクリーンＳＣに沿う光の層を形成する。本実施形態では、角度θは、ほぼ１８０度に達し、スクリーンＳＣのほぼ全体に、光の層が形成される。スクリーンＳＣの表面と、発光装置３０により形成される光の層とは近接していることが好ましい。スクリーンＳＣの表面から離れた位置にある指も照射できるように光の層は厚みを持っている。また、発光部を積層することにより離れた位置にある指を照射してもよい。発光装置３０からの光の出射は、プロジェクター１０により制御される。
【００２１】
図２は、プロジェクター１０及び指示体２０のハードウェア構成を示した図である。指示体２０は、制御部２１０、通信部２２０、発光部２３０、操作部２４０、電源２５０を有する。電源２５０は、例えば乾電池又は二次電池であり、制御部２１０、通信部２２０、発光部２３０及び操作部２４０へ電力を供給する。操作部２４０は、電源２５０から各部への電力供給を制御するスイッチ（図示略）を備えている。操作部２４０のスイッチがオンとなると、電源２５０から各部へ電力が供給され、操作部２４０のスイッチがオフとなると、電源２５０から各部へ電力の供給が停止される。発光部２３０は、赤外光を発する発光ダイオードを有しており、指示体２０の先端に設けられている。発光部２３０の点灯及び消灯は、制御部２１０により制御される。発光部２３０は、点光源であり、発光部２３０が発する光は、指示体２０の先端から球面上に広がる。通信部２２０は、赤外光を受光する受光素子を備えている。通信部２２０は、プロジェクター１０から赤外光で送られる各種信号を受信する。通信部２２０は、受信した各種信号を電気信号に変換して制御部２１０へ供給する。制御部２１０は、発光部２３０及び通信部２２０に接続されている。制御部２１０は、通信部２２０から供給される信号に応じて発光部２３０の制御を開始し、発光部２３０の発光ダイオードの点灯及び消灯を制御する。
【００２２】
プロジェクター１０は、制御部１１０、記憶部１２０、操作部１３０、投写部１４０を備える。また、プロジェクター１０は、映像処理部１５０、映像インターフェース１６０、撮像部１７０Ａ、撮像部１７０Ｂ、通信部１８０を備える。制御部１１０は、ＣＰＵ（Central Processing Unit）、ＲＯＭ（Read Only Memory）及びＲＡＭ（Random Access Memory）を備えたマイクロコンピューターである。ＲＯＭに記憶されているプログラムをＣＰＵが実行すると、プロジェクター１０においては、制御部１１０が各部を制御し、画像をスクリーンＳＣに投写する機能や、指や指示体２０をポインティングデバイスとして利用する機能、描画機能などが実現する。
【００２３】
映像インターフェース１６０は、ＲＣＡ、Ｄ−Ｓｕｂ、ＨＤＭＩ（登録商標）、ＵＳＢ（Universal Serial Bus）など、映像信号が供給されるコネクターを複数有し、外部装置からコネクターに供給された映像信号を映像処理部１５０へ供給する。映像インターフェース１６０は、無線ＬＡＮやＢｌｕｅｔｏｏｔｈ（登録商標）などの無線通信のインターフェースを有し、無線通信により映像信号を取得してもよい。
【００２４】
記憶部１２０は、投写する映像の画質に係る設定値や、各種機能に係る情報を記憶する。操作部１３０は、プロジェクター１０を操作するための複数のボタンを備えている。操作されたボタンに応じて制御部１１０が各部を制御することにより、スクリーンＳＣに投写される画像の調整や、プロジェクター１０が有する各種機能の設定などが行われる。また、操作部１３０は、リモートコントローラー（図示略）からの赤外光の信号を受光する受光部（図示略）を備えている。操作部１３０は、リモートコントローラーから送信された信号を電気信号に変換して制御部１１０へ供給し、制御部１１０は、供給される信号に応じて各部を制御する。
【００２５】
投写部１４０と映像処理部１５０は協働し、画像を表示する表示部として機能する。映像処理部１５０は、映像インターフェース１６０から供給される映像信号を取得する。また、映像処理部１５０は、プロジェクター１０を操作するためのＧＵＩや指示体２０が指し示す位置を表すカーソル、描画機能で描画する画像などのオンスクリーン画像の信号を制御部１１０から取得する。映像処理部１５０は、ＶＲＡＭ（Video RAM）１５１を備えており、映像信号を展開する領域と、オンスクリーン画像の信号を展開する領域を備えており、各信号をそれぞれの領域に展開する。映像処理部１５０は、各種の画像処理機能を備えており、ＶＲＡＭ１５１に展開された映像信号に画像処理を施し、投写する画像の画質を調整する。また、映像処理部１５０は、制御部１１０からオンスクリーン画像の信号が供給された場合には、オンスクリーン画像の信号を重畳した映像信号を投写部１４０へ供給する。
【００２６】
映像を投写する投写部１４０は、光源１４１、ライトバルブ１４２、駆動回路１４４及び投写光学系１４３を有している。光源１４１は、光を発するランプであり、光源１４１が発した光は、図示省略した複数のダイクロイックミラーやミラーによって赤、緑、青の光に分光され、分光された赤、緑、青のそれぞれの光はライトバルブ１４２に導かれる。なお、光源１４１は、ランプではなく、発光ダイオード又はレーザー光を発する半導体レーザー装置であってもよい。
【００２７】
駆動回路１４４は、映像処理部１５０から供給される映像信号を取得する。駆動回路１４４に供給される映像信号は、投写する画像における赤の成分の階調を表す階調データ、投写する画像における緑の成分の階調を表す階調データ及び投写する画像における青の成分の階調を表す階調データを有する。駆動回路１４４は、赤、緑、青の各色の階調データを抽出し、抽出した各色の階調データに基づいてライトバルブ１４２を駆動する。
【００２８】
ライトバルブ１４２は、前述の赤の光が入射する液晶ライトバルブ、前述の緑の光が入射する液晶ライトバルブ、及び前述の青の光が入射する液晶ライトバルブを有している。液晶ライトバルブは、透過型の液晶パネルであり、複数行複数列でマトリクス状に配置された画素を備えている。赤の光が入射する液晶ライトバルブは赤の階調データに基づいて駆動され、緑の光が入射する液晶ライトバルブは緑の階調データに基づいて駆動され、青の光が入射する液晶ライトバルブは青の階調データに基づいて駆動される。各液晶ライトバルブは、駆動回路１４４によって各画素が制御されて画素の透過率が変化する。画素の透過率が制御されることにより、液晶ライトバルブを透過した各色の光は、各階調データに対応した画像となる。液晶ライトバルブを透過した赤、緑、青の光の画像は、図示省略したダイクロイックプリズムにより合成されて投写光学系１４３に入射する。投写光学系１４３は、入射した画像を拡大する光学系であり、入射した画像をレンズやミラーによって拡大してスクリーンＳＣに投写する。スクリーンＳＣに画像が投写されると、表示面であるスクリーンＳＣに画像が表示される。なお、透過型の液晶パネルの替わりに反射型の液晶パネルを採用してもよいし、デジタルミラーデバイスなどを用いてもかまわない。
【００２９】
プロジェクター１０は、指示体２０や指の位置及びスクリーンＳＣまでの距離をステレオ方式によって特定するために、２つの撮像部１７０Ａ及び撮像部１７０Ｂを有している。撮像部１７０Ａ及び撮像部１７０Ｂは、発光部２３０が発する赤外光や、発光装置３０から出射されて指で反射した赤外光を受光する撮像素子（ＣＭＯＳやＣＣＤなど）、撮像素子に像を結像する光学系、撮像素子へ入射する光を制限する絞りなどを備えている。撮像部１７０Ａ及び撮像部１７０Ｂは、スクリーンＳＣを含む範囲を撮像範囲とし、撮像した範囲の画像を生成し、生成した画像を表す画像信号を出力する。なお、本実施形態においては、プロジェクター１０がスクリーンＳＣの斜め上方に設置されるため、撮像部１７０Ａ及び撮像部１７０Ｂは、スクリーンＳＣを含む範囲を斜め上方から撮像することになる。通信部１８０は、赤外光を発する発光ダイオードを備えている。通信部１８０は、制御部１１０により、発光ダイオードの点灯及び消灯が制御され、発光部２３０の点灯及び消灯を制御するための赤外光の信号を送信する。また、通信部１８０は、ＰＣと通信を行うための通信インターフェースを有し、例えば、ＵＳＢやＬＡＮの通信インターフェースを備える。
【００３０】
図３は、制御部１１０がプログラムを実行することにより実現する機能と、制御部２１０において実現する機能の構成を示した機能ブロック図である。まず、プロジェクター１０の制御部１１０において実現する機能について説明する。
【００３１】
位置検出部１１３は、画像の投写領域において指示体２０の発光部２３０の位置や指示体の一例である指の位置を、例えば図４に示したタイムチャートで周期的に特定する。指の位置や発光部２３０の位置を特定する期間は、図４に示したようにフェーズＰ１１からフェーズＰ１４までの４つのフェーズを有する。指の位置や発光部２３０の位置を検出する際には、フェーズＰ１１からフェーズＰ１４までが繰り返される。フェーズＰ１１は、プロジェクター１０が撮像部１７０Ａ及び撮像部１７０Ｂで撮像を行うタイミングと、指示体２０が発光するタイミング及び発光装置３０が赤外光を出射するタイミングを同期させるためのフェーズである。フェーズＰ１１においては、位置検出部１１３は、所定期間ｔｅ１で赤外光の同期信号が出力されるように通信部１８０を制御する。
【００３２】
指示体２０においては、通信部２２０が同期信号を受光し、同期信号を受光してから所定時間が経過すると、予め設定された期間ｔｅ２で発光部２３０が点灯するように、制御部２１０が発光部２３０を制御する。本実施形態においては、フェーズＰ１２、フェーズＰ１３及びフェーズＰ１４の開始時点から発光部２３０が点灯するように制御される。また、位置検出部１１３は、フェーズＰ１２及びフェーズＰ１４の開始時間から期間ｔｅ２で発光装置３０が赤外光を出射するように、発光装置３０を制御する。
【００３３】
位置検出部１１３は、フェーズＰ１２〜フェーズＰ１４において、撮像部１７０Ａ及び撮像部１７０Ｂを制御し、設定されているシャッタースピードでスクリーンＳＣを含む所定範囲を撮像する。撮像部１７０Ａ及び撮像部１７０Ｂにおいて電子シャッター機能により露光が行われる露光期間は、フェーズＰ１２〜フェーズＰ１４の各フェーズの開始時点から始まり、露光が終了する時点は、設定されているシャッタースピードにより定まる。撮像部１７０Ａ及び撮像部１７０ＢがフェーズＰ１２〜フェーズＰ１４の露光期間で撮像した画像の画像信号は、位置検出部１１３へ供給される。
【００３４】
位置検出部１１３は、撮像部１７０Ａ及び撮像部１７０Ｂから供給された画像信号が表す画像を用いて、投写された画像上にある指や発光部２３０の位置、スクリーンＳＣから発光部２３０までの距離を特定する。具体的には、フェーズＰ１２とフェーズＰ１４において、発光装置３０が発した赤外光が指に照射されている場合には、撮像部１７０Ａ及び撮像部１７０Ｂで得られた画像に発光装置３０から出射されて指で反射した赤外光が映る。また、フェーズＰ１２とフェーズＰ１４において、発光部２３０が撮像部１７０Ａ及び撮像部１７０Ｂの撮像範囲内にあると、撮像部１７０Ａ及び撮像部１７０Ｂで得られた画像に発光部２３０が発した赤外光も映る。フェーズＰ１３においては、発光装置３０は光を出射しないため、撮像部１７０Ａ及び撮像部１７０Ｂで得られた画像には、発光部２３０が発した赤外光が映る。
【００３５】
位置検出部１１３は、フェーズＰ１２〜フェーズＰ１４において、撮像部１７０Ａ及び撮像部１７０Ｂで得られた画像に映る赤外光の位置及びスクリーンＳＣまでの距離をステレオ法により特定する。位置検出部１１３は、フェーズＰ１２とフェーズＰ１４において位置を特定した赤外光のうち、フェーズＰ１３において位置を特定した赤外光の位置に近い位置の赤外光を特定し、特定した赤外光の位置を発光部２３０の位置とする。また、位置検出部１１３は、フェーズＰ１２とフェーズＰ１４において位置を特定した赤外光のうち、フェーズＰ１３において位置を特定した赤外光から遠い赤外光の位置を指の位置とする。なお、位置検出部１１３は、フェーズＰ１３において赤外光が撮像範囲内に無い場合には、フェーズＰ１２とフェーズＰ１４において特定した位置を指の位置とする。これらの特定した位置は、描画機能やＧＵＩの操作を行うときに使用される。
【００３６】
描画部１１２は、投写している画像に対し、位置検出部１１３が検知した位置に応じてオンスクリーン画像の信号を映像処理部１５０へ供給し、指示体２０や指が指示した位置に描画を行う。描画像制御部１１４は、指示体２０又は指の位置に応じて描画した画像の記憶や当該画像の表示を制御する。
【００３７】
次に、指示体２０の制御部２１０において実現する機能について説明する。信号取得部２１１は、通信部２２０が受信した同期信号を取得する。発光制御部２１２は、信号取得部２１１から同期信号を取得し、同期信号を取得してから所定時間が経過すると、フェーズＰ１２〜フェーズＰ１４において期間ｔｅ２で発光部２３０が点灯するように、発光部２３０を制御する。
【００３８】
（実施形態の動作例）
次に描画機能がオンとなっているときの本実施形態の動作例について説明する。映像インターフェース１６０は、ＰＣ４０から映像信号が供給されると、ＰＣ４０から供給される映像信号を取得し、取得した映像信号を映像処理部１５０へ供給する。映像信号が映像処理部１５０へ供給されると、映像信号が表す画像がスクリーンＳＣに投写される。
【００３９】
ユーザーは、投写された画像に対して描画機能で描画を行う場合、スクリーンＳＣ上において描画を行う位置に指示体２０を接触させる。制御部１１０は、描画機能がオンである場合、撮像部１７０Ａ及び撮像部１７０Ｂから供給される画像信号を解析し、指示体２０の位置を検出する。制御部１１０は、検出した指示体の位置に応じてオンスクリーン画像を生成し、生成したオンスクリーン画像を表す信号を映像処理部１５０へ供給する。オンスクリーン画像の信号が映像処理部１５０へ供給されると、オンスクリーン画像がＰＣの画像に重畳されて投写される。例えば、ユーザーがスクリーンＳＣに指示体２０を接触させながら移動させた場合、指示体２０の移動軌跡に対応した線のオンスクリーン画像（以下、説明の便宜上、描画像と称する）が、指示体２０が移動した位置に投写される。
【００４０】
制御部１１０は、指示体２０又は指の位置の検出を周期的に行い、指示体２０がスクリーンＳＣから離れると、図５に示した処理を開始する。図５は、指示体２０の位置に応じて描画像を消去する処理の流れを示したフローチャートである。
【００４１】
まず、制御部１１０は、指示体２０がスクリーンＳＣに接してから離れるまでに生成したオンスクリーン画像とオンスクリーン画像の位置をＲＡＭに格納する（ステップＳＡ１）。次に制御部１１０は、指示体２０の位置の検出を行い、スクリーンＳＣの垂線方向（スクリーンＳＣにおいてプロジェクター１０から画像が投写されている面に対して垂直な方向）における指示体２０からスクリーンＳＣまでの距離を検出する（ステップＳＡ２）。制御部１１０は、ステップＳＡ２の処理を終えると、ステップＳＡ２で検出した距離が予め定められた距離Ｄ以上であるか判断する（ステップＳＡ３）。
【００４２】
制御部１１０は、検出した距離が予め定められた距離Ｄ以上である場合（ステップＳＡ３でＹＥＳ）、スクリーンＳＣから指示体２０までの距離が距離Ｄ以上となった時間の計時を開始する（ステップＳＡ４）。制御部１１０は、時間の計時を開始した後、スクリーンＳＣの垂線方向における指示体２０からスクリーンＳＣまでの距離を検出する（ステップＳＡ５）。
【００４３】
次に制御部１１０は、ステップＳＡ５で検出した距離を判定する（ステップＳＡ６）。制御部１１０は、検出した距離が０、即ち、指示体２０がスクリーンＳＣに接している場合、図５の処理を終了する。制御部１１０は、検出した距離が０ではなく距離Ｄ未満である場合、処理の流れをステップＳＡ４へ戻す。
【００４４】
制御部１１０は、検出した距離が距離Ｄ以上であった場合又は指示体２０の位置を検出できなかった場合、計時している時間が予め定められた時間Ｔ１（第１時間）以上であるか判断する（ステップＳＡ７）。制御部１１０は、計時している時間が時間Ｔ１未満である場合（ステップＳＡ７でＮＯ）、処理の流れをステップＳＡ５へ移す。制御部１１０は、計時している時間が時間Ｔ１以上である場合（ステップＳＡ７でＹＥＳ）、ＶＲＡＭ１５１に展開されているオンスクリーン画像を消去する（ステップＳＡ８）。ＶＲＡＭ１５１に展開されていたオンスクリーン画像が消去されると、投写されていた描画像が消去され、ＰＣの画像のみが投写される。
【００４５】
制御部１１０は、ステップＳＡ８の処理で描画像を消去した場合、図６に示した処理を実行する。図６は、ステップＳＡ８の処理で消去した描画像を復元する処理の流れを示したフローチャートである。
【００４６】
まず制御部１１０は、描画像を消去してから経過した時間の計時を開始する（ステップＳＢ１）。制御部１１０は、時間の計時を開始した後、スクリーンＳＣの垂線方向における指示体２０からスクリーンＳＣまでの距離を検出する（ステップＳＢ２）。制御部１１０は、ステップＳＢ２の処理を終えると、ステップＳＢ２で検出した距離が予め定められた距離Ｄ以上であるか判断する（ステップＳＢ３）。
【００４７】
制御部１１０は、検出した距離が距離Ｄ以上又は距離を検出できなかった場合（ステップＳＢ３でＹＥＳ）、計時している時間が予め定められた時間Ｔ２（第２時間）以上であるか判断する（ステップＳＢ４）。制御部１１０は、計時している時間が時間Ｔ２未満である場合（ステップＳＢ４でＮＯ）、処理の流れをステップＳＢ２へ移す。制御部１１０は、計時している時間が時間Ｔ２以上である場合（ステップＳＢ４でＹＥＳ）、ＲＡＭに格納したオンスクリーン画像とオンスクリーン画像の位置を消去する（ステップＳＢ５）。
【００４８】
また、制御部１１０は、ステップＳＢ２で検出した距離が距離Ｄ未満であった場合（ステップＳＢ３でＮＯ）、計時している時間が予め定められた時間Ｔ２以上であるか判断する（ステップＳＢ６）。制御部１１０は、計時している時間が時間Ｔ２以上である場合（ステップＳＢ６でＹＥＳ）、ＲＡＭに格納したオンスクリーン画像とオンスクリーン画像の位置を消去する（ステップＳＢ５）。制御部１１０は、計時している時間が時間Ｔ２未満である場合（ステップＳＢ６でＮＯ）、ＲＡＭに格納されているオンスクリーン画像とオンスクリーン画像の位置を取得し、オンスクリーン画像の信号を映像処理部１５０へ供給する（ステップＳＢ７）。オンスクリーン画像の信号が映像処理部１５０へ供給されると、ステップＳＡ７で消去したオンスクリーン画像が復元され、ＰＣの画像に重畳されて投写される。
【００４９】
なお、上記の説明においては、指示体２０を用いて描画を行う例を説明したが、本発明においては、指示体としてユーザーの指を使用する場合にも、指の位置に応じた描画や描画像の消去及び復元を行うことができる。
【００５０】
また、本発明においては、上述した描画像を消去する機能について、メニュー画面においてオン／オフを設定する構成として、オンに設定された場合には上述の動作を行い、オフに設定された場合には、上述の操作を行わず、描画像を消去する操作が行われるまでは描画像を消去しないようにしてもよい。
また、本発明においては、上述した描画像を復元する機能について、描画像を消去する機能がオンに設定された場合には、メニュー画面においてオン／オフを設定可能な構成として、オンに設定された場合には上述の動作を行い、オフに設定された場合には、ＶＲＡＭ１５１に展開されているオンスクリーン画像をステップＳＡ７で消去すると共に、ステップＳＡ１でＲＡＭに格納したオンスクリーン画像とオンスクリーン画像の位置も消去するようにしてもよい。
【００５１】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した各実施形態及び以下の変形例は、一つ又は複数を適宜組み合わせて実施してもよい。
【００５２】
上述した実施形態においては、スクリーンＳＣの垂線方向における指示体２０からスクリーンＳＣまでの距離に応じて、描画像の消去や復元を行っているが、描画像の消去や復元を行う構成は、実施形態の構成に限定されるものではない。例えば、制御部１１０は、描画像から指示体２０までの距離に応じて、描画像の消去や復元の処理を行うようにしてもよい。この変形例の場合、制御部１１０は、例えば、指示体２０とスクリーンＳＣとを結ぶスクリーンＳＣに垂直な仮想線とスクリーンＳＣとの交点の座標を特定し、特定した座標から描画像までの距離に応じて、描画像の消去や復元を行うようにしてもよい。また、制御部１１０は、例えば、指示体２０と描画像とを結ぶ仮想線の長さを特定し、特定した長さを指示体２０から描画像までの距離とし、特定した距離に応じて、描画像の消去や復元を行うようにしてもよい。
【００５３】
また、指示体２０から描画像までの距離を特定する構成においては、指示体２０から描画像までの距離に応じて、描画像の濃度を変更する構成としてもよい。例えば、制御部１１０は、検出した指示体２０から描画像までの距離が距離Ｄ未満である場合、指示体２０から描画像までの距離が長くなるにつれて描画像の濃度を薄くし、指示体２０から描画像までの距離が短くなるにつれて描画像の濃度を濃くするようにしてもよい。
【００５４】
本発明においては、制御部１１０は、ステップＳＡ６において、検出した距離が０ではなく距離Ｄ未満であっても、ステップＳＡ７へ処理の流れを移すようにしてもよい。また、本発明においては、制御部１１０は、ステップＳＢ３において、検出した距離が０である場合には処理の流れをステップＳＢ６へ移し、検出した距離が０ではない場合には処理の流れをステップＳＢ４へ移すようにしてもよい。
【００５５】
本発明においては、指示体２０からスクリーンＳＣ又は描画像までの距離に応じて描画像の消去する構成に替えて、時間の経過に応じて描画像を消去する構成としてもよい。本変形例においては、制御部１１０は、指示体２０の移動に応じた描画像を表示し、指示体２０がスクリーンＳＣから離れると、指示体２０がスクリーンＳＣに接してから離れるまでに生成した描画像について、指示体２０がスクリーンＳＣから離れてからの経過時間を計時する。制御部１１０は、計時している時間の増加に伴い、描画像の濃度を薄くする。
【００５６】
上述した実施形態においては、外部装置から供給される映像信号の画像と描画像を表示する装置はプロジェクターとなっているが、外部装置から供給される映像信号の画像と描画像を表示する装置はプロジェクターに限定されるものではない。例えば、外部装置から供給される映像信号の画像と描画像を表示する装置は、直視型のディスプレイ装置であってもよい。
【００５７】
直視型のディスプレイ装置を備える表示装置の場合、例えば、指の位置や指とディスプレイ装置との距離を検出可能なタッチパネルを採用し、撮像部１７０Ａ及び撮像部１７０Ｂに替えて、指示体である指の位置をタッチパネルで検出する。表示装置においては、実施形態と同様に、指示体が時間Ｔ１を超えてタッチパネルから距離Ｄ以上離れている場合、指示体の移動に応じて描画された描画像を消去する。また、描画像を消去してから時間Ｔ２が経過するまでの間に指示体とタッチパネルの距離が距離Ｄ未満となった場合、消去した描画像を復元する。
【００５８】
本発明においては、プロジェクター１０を据置型のプロジェクターとし、机上に設置されたプロジェクターが画像をスクリーンＳＣに投写する構成であってもよい。
【符号の説明】
【００５９】
１…表示システム、１０…プロジェクター、２０…指示体、３０…発光装置、４０…ＰＣ、１１０…制御部、１１２…描画部、１１３…位置検出部、１１４…描画像制御部、１２０…記憶部、１３０…操作部、１４０…投写部、１５０…映像処理部、１６０…映像インターフェース、１７０Ａ、１７０Ｂ…撮像部、１８０…通信部、２１０…制御部、２１１…信号取得部、２１２…発光制御部、２２０…通信部、２３０…発光部、２４０…操作部、２５０…電源、ＳＣ…スクリーン。
【図１】
0006750268.tif 000002
【図２】
0006750268.tif 000003
【図３】
0006750268.tif 000004
【図４】
0006750268.tif 000005
【図５】
0006750268.tif 000006
【図６】
0006750268.tif 000007